(57)【要約】【課題】生体に負荷をかけることなく生体内の所望の位置に固定することができるガイドワイヤを提供する。【解決手段】表面の少なくとも一部に複数の突起部５０が配置される接着部４０を有するガイドワイヤであって、前記突起部は、接触表面積を増加させてファンデルワールス力による接着力を発現させるように構成されているガイドワイヤである。【選択図】図１
2016168063.tif 000002
【特許請求の範囲】
【請求項１】
表面の少なくとも一部に複数の突起部が配置される接着部を有するガイドワイヤであって、
前記突起部は、接触表面積を増加させてファンデルワールス力による接着力を発現させるように構成されているガイドワイヤ。
【請求項２】
前記接着部が前記ガイドワイヤの先端部に設けられている請求項１に記載のガイドワイヤ。
【請求項３】
前記突起部は、前記ガイドワイヤの周方向に向かって傾斜して延在する請求項１または２に記載のガイドワイヤ。
【請求項４】
前記突起部の延在する方向の先端部の少なくとも一部に、前記突起部よりも微小に形成されるとともに、接触表面積を増加させてファンデルワールス力による接着力を発現させるように構成されている複数の補助突起部を有する請求項１〜３のいずれかに記載のガイドワイヤ。
【請求項５】
前記突起部の延在する方向の先端部が接触表面積を増加させるように拡張された拡張部を有する請求項１〜４のいずれかに記載のガイドワイヤ。
【請求項６】
前記接着部が、予め形成された接着シートを貼り付けることにより形成されている請求項１〜５のいずれかに記載のガイドワイヤ。
【発明の詳細な説明】
【技術分野】
【０００１】
本発明は、ガイドワイヤに関する。
【背景技術】
【０００２】
近年、心臓の冠動脈内の狭窄部を治療するために、経皮的冠動脈形成術（Ｐｅｒｃｕｔａｎｅｏｕｓ  Ｔｒａｎｓｌｕｍｉｎａｌ  Cｏｒｏｎａｒｙ  Ａｎｇｉｏｐｌａｓｔｙ：ＰＴＣＡ）が行われている。経皮的冠動脈形成術では、セルジンガー法等によって動脈血管内にガイディングカテーテル用のガイドワイヤを挿入し、ガイドワイヤに沿ってガイディングカテーテルを動脈血管内に挿入して、ガイドワイヤを先行させつつガイディングカテーテルの先端を心臓の冠動脈入口に位置させる。次に、ガイドワイヤのみを抜き取り、バルーンカテーテルを案内して狭窄部まで導く役割を果たす細径なガイドワイヤをガイディングカテーテル内に挿入する。そして、ガイディングカテーテルを経由して、ガイドワイヤの先端部を冠動脈の狭窄部の周辺に到達させる。この後、ガイドワイヤの基端部をバルーンカテーテルのルーメンに先端側から挿入し、ガイドワイヤに沿ってバルーンカテーテルを押し進め、収縮した状態のバルーンを狭窄部に配置する。そして、バルーンを拡張させることで、狭窄部を押し広げ、狭窄部よりも末梢側の血流を改善する。
【０００３】
この手技において用いられるバルーンカテーテル用のガイドワイヤとしては種々のものが存在するが、先端柔軟性を備えた長尺状のものが一般的に用いられている（例えば、特許文献１参照）。このようなガイドワイヤを使用する場合において、バルーンカテーテルのバルーンを狭窄部に迅速かつ正確に配置するには、ガイドワイヤは所望の位置に可能な限り固定されている必要がある。
【先行技術文献】
【特許文献】
【０００４】
【特許文献１】特開２００５−２７８７９５
【発明の概要】
【発明が解決しようとする課題】
【０００５】
しかしながら、従来のガイドワイヤは、所望の位置で当該ガイドワイヤを固定する機能を有していない。そのため、バルーンカテーテル等の医療器具を挿入する際に反力を受けることにより、ガイドワイヤが所望の位置からずれてしまい、バルーンカテーテル等の医療器具を迅速かつ正確に配置しにくいという問題があった。
【０００６】
そこで本発明の目的は、生体に負荷をかけることなく生体内の所望の位置に固定することができるガイドワイヤを提供することである。
【課題を解決するための手段】
【０００７】
上記の目的は、下記（１）〜（６）のいずれかの本発明により達成される。
【０００８】
（１）  表面の少なくとも一部に複数の突起部が配置される接着部を有するガイドワイヤであって、前記突起部は、接触表面積を増加させてファンデルワールス力による接着力を発現させるように構成されているガイドワイヤ。
【０００９】
（２）  前記接着部が前記ガイドワイヤの先端部に設けられている上記（１）に記載のガイドワイヤ。
【００１０】
（３）  前記突起部は、前記ガイドワイヤの周方向に向かって傾斜して延在する上記（１）または（２）に記載のガイドワイヤ。
【００１１】
（４）  前記突起部の延在する方向の先端部の少なくとも一部に、当該突起部よりも微小に形成されるとともに、接触表面積を増加させてファンデルワールス力による接着力を発現させるように構成されている複数の補助突起部を有する上記（１）〜（３）のいずれかに記載のガイドワイヤ。
【００１２】
（５）  前記突起部の延在する方向の先端部が接触表面積を増加させるように拡張された拡張部を有する上記（１）〜（４）のいずれかに記載のガイドワイヤ。
【００１３】
（６）  前記接着部が、予め形成された接着シートを貼り付けることにより形成されている上記（１）〜（５）のいずれかに記載のガイドワイヤ。
【発明の効果】
【００１４】
（１）に係る本発明によれば、ガイドワイヤの表面の少なくとも一部に複数の突起部が配置される接着部を有し、各突起部が、接触表面積を増加させてファンデルワールス力による接着力を発現させるように構成されているため、生体に負荷をかけることなくガイドワイヤを生体内の所望の位置に着脱可能に固定することができる。
【００１５】
（２）に係る本発明によれば、ガイドワイヤの先端部を生体内の所望の位置に着脱可能に固定することができる。
【００１６】
（３）に係る本発明によれば、突起部が、ガイドワイヤの周方向に向かって傾斜して延在することにより、当該ガイドワイヤを移動させる際にトルクを加えることで接着力を調整することができるため操作性が向上する。
【００１７】
（４）に係る本発明によれば、突起部が、当該突起部の延在する方向の先端部の少なくとも一部に、当該突起部よりも微小に形成されるとともに、接触表面積を増加させてファンデルワールス力による接着力を発現させるように構成されている複数の補助突起部を有するため、ガイドワイヤを生体内の所望の位置に着脱可能に接着する際の接着力が向上する。
【００１８】
（５）に係る本発明によれば、突起部が、当該突起部の延在する方向の先端部が接触表面積を増加させるように拡張された拡張部を有するため、ガイドワイヤの先端部を生体内の所望の位置に着脱可能に接着する際に接着力が向上する。
【図面の簡単な説明】
【００１９】
【図１】本発明の実施形態に係るガイドワイヤを説明するための断面図である。
【図２】図１の２−２線に沿う断面図である。
【図３】接着部を示す拡大斜視図である。
【図４】図１の破線部４によって囲まれる部分の拡大断面図である。
【図５】図２の破線部５によって囲まれる部分の拡大断面図である。
【図６】ガイドワイヤの接着部が血管の内壁に接着した際の図であって、ガイドワイヤが軸方向の力を受けた際の各突起部の作用を説明する拡大断面図である。
【図７】ガイドワイヤの接着部が血管の内壁に接着した際の図であって、ガイドワイヤが軸方向の力を受けた際の各突起部の作用を説明する拡大断面図である。
【図８】ガイドワイヤを血管内で移動させる際の図であって、ガイドワイヤにトルクを加えた際の各突起部の作用を説明する断面図である。
【図９】ガイドワイヤを血管内で移動させる際の図であって、ガイドワイヤにトルクを加えた際の各突起部の作用を説明する拡大断面図である。
【図１０】ガイドワイヤを血管内で移動させる際の図であって、ガイドワイヤにトルクを加えた際の各突起部の作用を説明する拡大断面図である。
【図１１】実施形態に係るガイドワイヤの作用を説明するための図であって、ガイディングカテーテルを血管内に挿入した様子を示す模式図である。
【図１２】実施形態に係るガイドワイヤの作用を説明するための図であって、ガイドワイヤをガイディングカテーテルに挿入した様子を示す模式図である。
【図１３】実施形態に係るガイドワイヤの作用を説明するための図であって、ガイドワイヤに沿わせてバルーンカテーテルを狭窄部周辺まで導入する様子を示す拡大した模式図である。
【図１４】実施形態に係るガイドワイヤの作用を説明するための図であって、バルーンカテーテルのバルーンを狭窄部に配置した様子を示す拡大した模式図である。
【図１５】実施形態に係るガイドワイヤの作用を説明するための図であって、バルーンカテーテルのバルーンを膨張した様子を示す拡大した模式図である。
【図１６】実施形態に係るガイドワイヤの変形例の接着部を示す断面図である。
【図１７】図１６の破線部１７によって囲まれる部分の拡大断面図である。
【図１８】実施形態に係るガイドワイヤの他の変形例の接着部を示す断面図である。
【発明を実施するための形態】
【００２０】
以下、添付した図面を参照して本発明を適用した実施形態を説明する。なお、図面の寸法比率は、説明の都合上、誇張されて実際の比率とは異なる場合がある。
【００２１】
図１、図２を参照して、本発明の実施形態に係るガイドワイヤ１は、バルーンカテーテルのバルーンを冠動脈内の狭窄部まで導く役割を果たすガイドワイヤ１である。
【００２２】
本実施形態に係るガイドワイヤ１は、概説すれば、ガイディングカテーテル及び血管内に導入して用いられるガイドワイヤ１であって、表面の少なくとも一部、好ましくは当該ガイドワイヤ１の先端部（図１の例では先端側ａ２の外面）に複数の突起部５０が配置される接着部４０を有し、突起部５０は、接触表面積を増加させてファンデルワールス力による接着力を発現させるように構成されているガイドワイヤ１である。ここで、先端部とは、最先端部から基端側にかけての所定の範囲に含まれる部位であり、この所定の範囲は任意に設定することができる。尚、例えば本発明に係るガイドワイヤを冠動脈に用いる場合、上述の所定の範囲としては、約３０〜６０ｍｍとすることができる。また、本明細書における軸方向とは、図１中の矢印ａ１、ａ２で示す方向である。ａ１は基端側を示しており、ａ２は先端側を示している。
【００２３】
具体的には、当該ガイドワイヤ１は、基端側ａ１から先端側ａ２に向かって縮径しているテーパー部１１を有する芯材１０と、テーパー部１１の先端部に密着して設けられたＸ線造影性金属コイル２０と、芯材１０と金属コイル２０を被覆して実質的に平滑な外表面を形成する被覆部材３０と、先端側の外面に設けられた接着部４０とを有する。接着部４０は、被覆部材３０を加工することによって、被覆部材３０と一体に形成されている。
【００２４】
芯材１０は、血管の追従性を備えた適度な柔軟性、先端までトルクを伝達でき、手元での押し込み力を先端まで伝える剛性を備える超弾性材料で形成されている。超弾性材料としては、例えば、Ｎｉ−Ｔｉ合金を用いることができる。
【００２５】
Ｘ線造影性金属コイル２０は、テーパー部１１の先端部に密着して設けられる。Ｘ線透視下で視認できる材料として金、白金、銀、ビスマス、タングステンまたこれらのうち２種類以上の合金（例えば、白金−タングステン）、もしくは他の金属との合金（例えば、金−イリジウム、白金−イリジウム）などが挙げられる。
【００２６】
被覆部材３０の材料としては、ポリウレタン、ポリエチレン、ポリ塩化ビニル、ポリエステル、ポリプロピレン、ポリアミド、ポリスチレン、フッ素系樹脂、シリコーン系樹脂等の合成樹脂、もしくは各種エラストマー（例えば、ポリエステルエラストマー）や各種ゴム材料（例えばシリコーンゴム）、およびそれらの複合材料が好適に使用できる。
【００２７】
接着部４０は、図３に示すように、マイクロメーターからナノメーターオーダーの微細な突起部５０を複数備えている。突起部５０は、図４に示すように、基部５１と頂部５２とを有する。
【００２８】
微細な突起部５０が形成される接着部４０を血管Ｍの内壁に密着させると、微細な突起部５０と血管Ｍの内壁との間のファンデルワールス力を利用して、接着部４０を血管Ｍの内壁に接着できる。ファンデルワールス力を利用することにより、生体に負荷を与え得る接着手段（例えば、接着剤など）を用いることなしに、着脱可能に付着状態を維持することが可能である。
【００２９】
例えば、突起部５０の基部５１の径Ｄ２および頂部５２の径Ｄ１は、５ｎｍ〜１０μｍであり、突起部５０の高さＨは、１μｍ〜５００μｍであり、形成密度は、１００μｍ２あたり１個以上であり、微細な突起部５０が高密度に形成されている。なお、上記の径は、突起部５０の延在方向（突出方向）と直交する断面における最も長い部位の長さを表し、必ずしも断面が円形でなくても用いられ得る。微細な突起部５０を複数設けて接着部４０の表面積を増加させることで、接着対象に対する接着状態を維持できる大きさのファンデルワールス力を生じさせるが、この接着機能は、気体中のみならず、液体中（湿潤状態）においても発揮される。ファンデルワールス力を利用して接着する構造は、例えば、ヤモリの足裏に見られる微細な繊維状の構造が一般的に知られている。
【００３０】
突起部５０は、図３及び図５に示すように、当該ガイドワイヤ１の外面の周方向ｂに向かって傾斜して延在している。
【００３１】
一方、突起部５０は、図３及び図４に示すように、軸方向に対しては傾斜していない。すなわち、突起部５０は、当該ガイドワイヤ１の軸直交断面内に延在している。
【００３２】
接着部４０の接着力は、突起部５０と接触面との接触角Ｚ（図６参照）に応じて変化する。具体的には、接触角Ｚが０度に近いほど接着力は強くなり、接触角Ｚが９０度に近いほど弱くなる。
【００３３】
図６に示すように、例えばバルーンカテーテルのバルーンを冠動脈内の狭窄部まで導くことを想定した場合、ガイドワイヤ１がバルーンカテーテルから受ける反力は軸方向の力である。図６に示すように、軸方向に基端側ａ１から先端側ａ２に力が作用した場合、突起部５０と接触面との接触角Ｚは、図７に示すようにＺ′に変化する。すなわち、軸方向に作用する力によって、接触角は０度に近くなる。先端側ａ２から基端側ａ１に力が作用した場合も同様である。従って、バルーンカテーテルを挿入する際にガイドワイヤ１が受ける反力によって接着部４０の接着力は強くなる。
【００３４】
一方、図８に示すように、血管Ｍ内においてガイドワイヤ１にトルクを加えると、図９に示す接触角Ｚは、図１０に示す接触角Ｚ′に変化する。すなわち、ガイドワイヤ１にトルクを加えることによって、接触角Ｚは９０度に近くなる。従って、ガイドワイヤ１を移動させる際にガイドワイヤにトルクを加えることによって接着部４０の接着力を調整することができる。
【００３５】
次に、突起部５０の製造方法の一例として、被覆部材３０が熱可塑性樹脂から構成されている場合の製造方法を説明する。
【００３６】
まず、シリコンウェーハ上に支持したポリメタクリル酸メチル樹脂（ＰＭＭＡ）に、電子線リソグラフィによって数１００ｎｍオーダーの孔状の微細パターンを形成して、金型を作製する。微細パターンの形状は、作製する突起部５０の形状を転写した形状に一致するように決定される。
【００３７】
次に、作製した金型をガイドワイヤ１の接着部４０に押し当てながら、当該金型及び接着部４０を、被覆部材３０を構成している熱可塑性樹脂の融点よりも高い温度に達するまで熱する。当該金型及び接着部４０が熱可塑性樹脂の融点よりも高い温度に加熱されることで、金型に形成された微細パターンの形状が、接着部４０の熱可塑性樹脂に転写される。転写された後、当該金型及び接着部４０を、被覆部材３０を構成している熱可塑性樹脂の融点よりも低い温度になるまで冷却することで、接着部４０に突起部５０が形成される。
【００３８】
なお、ナノオーダーのパターンの加工には、前述の方法だけでなく、例えばナノインプリント、ソフトリソグラフィ、微細なバイト（例えばダイヤモンドバイト）を用いた形削り、ディスペンシング、インクジェット等も適用可能であり、突起部５０の形状、寸法、材料等の条件に応じて、適宜選択することが好ましい。角錐形状であれば、微細なバイトによって縦横に溝を形成することで容易に作製できる。
【００３９】
被覆部材３０が熱可塑性樹脂以外の材料で形成されている場合には、例えば、接着部４０を熱可塑性樹脂で被覆した上で、上記の製造方法を適用すれば、接着部４０に突起部５０を形成することができる。
【００４０】
次に、図１１〜図１５を参照して、本実施形態に係るガイドワイヤ１を用いた手技を、経橈骨動脈アプローチによる経皮的冠動脈形成術を例として説明する。
【００４１】
経皮的冠動脈形成術では、まず、セルジンガー法等によって橈骨動脈血管内にガイディングカテーテル６０用のガイドワイヤを挿入し、ガイドワイヤに沿ってガイディングカテーテル６０を橈骨動脈血管内に挿入する。そして、血管造影用ガイドワイヤを先行させつつガイディングカテーテル６０を押し進め、腕頭動脈Ｍ２、大動脈弓Ｍ３を介して、図１１に示すように、ガイディングカテーテルの先端部６１を左冠動脈Ｍ１の入口に差し込む。
【００４２】
次に、図１２に示すように、バルーンカテーテル７０用の本実施形態に係るガイドワイヤ１をガイディングカテーテル６０内に挿入して、当該ガイドワイヤ１の接着部４０を、左冠動脈Ｍ１に形成された狭窄部Ｍ４を超えた所望の位置に到達させて、左冠動脈Ｍ１の内壁に接着させて固定する。このとき、左冠動脈Ｍ１の形状に応じて、ガイドワイヤ１に適宜トルクを加えながら推し進める。
【００４３】
この後、ガイドワイヤ１の基端部をバルーンカテーテル７０のルーメンに先端側から挿入し、ガイドワイヤ１に沿ってバルーンカテーテル７０を図１３に示すように押し進め、図１４に示すように、収縮した状態のバルーン７１を狭窄部Ｍ４に配置する。
【００４４】
この後、図１５に示すように、バルーン７１を拡張させることで狭窄部Ｍ４を押し広げ、狭窄部Ｍ４よりも末梢側の血流を確保する。このとき、バルーン７１によって狭窄部Ｍ４を押し広げるのみでなく、バルーン７１によってステントを拡張させて留置してもよい。
【００４５】
次に、バルーン７１を収縮させ、バルーンカテーテル７０用の本実施形態に係るガイドワイヤ１とともにバルーンカテーテル７０をガイディングカテーテル６０から引き抜く。
【００４６】
この後、ガイディングカテーテル６０を血管Ｍ内から引き抜き、手技が完了する。
【００４７】
以上のように、本実施形態に係るガイドワイヤ１によれば、当該ガイドワイヤ１の先端側の外面に複数の突起部５０が配置される接着部４０を有し、突起部５０は、接触表面積を増加させてファンデルワールス力による接着力を発現させるように構成されることにより、当該ガイドワイヤ１の先端部がファンデルワールス力による接着力を有するため、ガイドワイヤ１の先端部を生体内の所望の位置に着脱可能に接着することができる。
【００４８】
また、突起部５０は、当該ガイドワイヤ１の周方向に向かって傾斜して延在することにより、トルクを加えることで接着力を調整することができるため操作性が向上する。
【００４９】
なお、突起部５０の配置及び構成については、ファンデルワールス力が発現される限りにおいて、変更することが可能である。
【００５０】
例えば、突起部５０は規則的に配置されている場合のみを図示しているが、不規則に配置されてもよい。
【００５１】
また、突起部５０は切頭円錐形状のみを図示しているが、他の形状であってもよい。例えば断面が多角形の柱形状としてもよく、基部５１から頂部５２まで同一断面としてもよく、または、頂部５２の断面を基部５１よりも大きくしてもよい。
【００５２】
また、突起部５０は軸直交断面内に延在しているもののみを図示しているが、軸方向に向かって傾斜して延在してもよい。突起部５０の軸方向の傾斜角Ｘ（図４参照）は、任意に設定することができる。また、全ての突起部５０について、傾斜角Ｘが同じである必要はない。
【００５３】
さらに、当該ガイドワイヤ１の外面に対する突起部５０の周方向ｂの傾斜角Ｙ（図５参照）は、任意に設定することができる。また、全ての突起部５０について、傾斜角Ｙが同じである必要はない。
【００５４】
＜変形例＞
本発明は、上述した実施形態のみに限定されるものではなく、本発明の技術的思想内において当業者により種々変更が可能である。
【００５５】
例えば、図１６及び図１７に示すように、突起部５０の各々は、当該突起部５０の頂部５２に、接触表面積を増加させてファンデルワールス力による接着力を発現させるように構成される当該突起部５０よりも微小な複数の補助突起部５３を有してもよい。ここで、突起部に関する大小関係は、外形寸法（例えば、突起部の延在方向と直交する断面における最も長い部位の長さ）に関する大小関係をいう。すなわち、補助突起部５３が突起部５０よりも微小であるとは、突起部５０の外形寸法よりも補助突起部５３の外形寸法が小さいことをいう。
【００５６】
血管内壁は突起部５０の外形寸法のオーダーよりも小さなオーダーの起伏を有する場合があるため、突起部５０の先端側の外面全てが血管内壁に接しない可能性が生じる。そうした場合に、図１７に示すように、突起部５０が補助突起部５３を有することによって、補助突起部５３を有さない場合と比較して実質的な接触表面積が増加する。その結果、接着部４０の接着力が向上する。
【００５７】
補助突起部５３は、例えば、第一実施形態で説明した金型を用いた方法によって形成することができる。すなわち、突起部５０を形成した後に、補助突起部５３の形状を転写した形状の微細パターンを形成した金型を、当該突起部５０の頂部５２に押し当てるなどの方法によって形成することができる。
【００５８】
当該構成によって、ガイドワイヤ１の先端部を生体内の所望の位置に着脱可能に接着する際の接着力が向上する。
【００５９】
また、他の変形例として、図１８に示すように、突起部５０は一般的な形状の突起ではなく、接触表面積を増加させるように当該突起部５０の頂部５２を拡張して構成される拡張部５４を有してもよい。突起部５０が拡張部５４を有することによって、突起部５０ごとの接触表面積が増加することにより、接着部４０全体の接触表面積が増加する。拡張部５４が、さらに前述の補助突起部５３を有してもよい。
【００６０】
当該構成によって、ガイドワイヤ１の先端部を生体内の所望の位置に着脱可能に接着する際の接着力が向上する。
【００６１】
さらに、他の変形例として、ガイドワイヤ１の基端側に、接着力を弱めることのできる回転方向を視認できるように構成されるマーカー部を設けてもよい。例えば、接着力を弱めることのできる回転方向を示す視認可能な矢印等を、ガイドワイヤ１の操作のためにガイドワイヤ１に係着されるトルクデバイス（不図示）に表示することによって当該マーカー部とすることができるが、それのみに限定されない。
【００６２】
当該構成によって、接着力を弱めることのできる回転方向を目視によって認識できるため、ガイドワイヤ１を移動させる際の操作性が向上する。接着力を弱めることのできる回転方向が存在しない場合であっても、それを意味するマーカー部を設けることによって、同様の効果を得られる。
【００６３】
上述した各変形例においても、上述した実施形態と同じ効果が奏されることはいうまでもない。
【００６４】
以上、本願発明に係るガイドワイヤを実施形態及び各変形例を通じて説明したが、本願発明に係るガイドワイヤはこれらの構成のみに限定されるものではなく、特許請求の範囲の記載に基づいて種々改変することが可能である。
【００６５】
例えば、接着部はガイドワイヤの先端側の外面に一体に形成されるが、それのみに限定されない。例えば接着部をシート状の形態（接着シート）で形成した後に、当該シート状の接着部をガイドワイヤの先端側の外面に接合することによっても実施することができる。
【００６６】
また、上述した実施形態及び変形例では、先端側の外面が合成樹脂によって被覆されているタイプのガイドワイヤに適用した場合を説明しているが、本発明は合成樹脂によって被覆されていないタイプのガイドワイヤにおいても適用可能である。例えば、先端側の外面を合成樹脂によって被覆することによって、上述した実施形態と実質的に同じ形態となるように実施できる。また、上述のように、接着部をシート状の形態で形成した後に、当該シート状の接着部をガイドワイヤの先端側の外面に接合することによっても実施することができる。
【００６７】
上述した実施形態及び変形例によって奏される効果は、経橈骨動脈アプローチによる経皮的冠動脈形成術に限らず、生体内の所望の位置にガイドワイヤを固定する必要のある手技であれば、どのような手技においても発揮されることはいうまでもない。
【符号の説明】
【００６８】
１  ガイドワイヤ、
１０  芯材、
２０  金属コイル、
３０  被覆部材、
４０  接着部、
５０  突起部、
５１  基部、
５２  頂部、
５３  補助突起部、
５４  拡張部、
６０  ガイディングカテーテル、
６１  先端部、
７０  バルーンカテーテル、
７１  バルーン、
Ｍ１  左冠動脈、
Ｍ２  腕頭動脈、
Ｍ３  大動脈弓、
Ｍ４  狭窄部。
【図１】
2016168063.tif 000003
【図２】
2016168063.tif 000004
【図３】
2016168063.tif 000005
【図４】
2016168063.tif 000006
【図５】
2016168063.tif 000007
【図６】
2016168063.tif 000008
【図７】
2016168063.tif 000009
【図８】
2016168063.tif 000010
【図９】
2016168063.tif 000011
【図１０】
2016168063.tif 000012
【図１１】
2016168063.tif 000013
【図１２】
2016168063.tif 000014
【図１３】
2016168063.tif 000015
【図１４】
2016168063.tif 000016
【図１５】
2016168063.tif 000017
【図１６】
2016168063.tif 000018
【図１７】
2016168063.tif 000019
【図１８】
2016168063.tif 000020